(57)【要約】【課題】開閉扉が天板に設置され、焼き物の出し入れが容易なグリルの提供。【解決手段】グリル内部への焼き物の出し入れに用いる開閉扉２が、グリル天板に設置され、開閉扉のグリル内部に対向する片面に加熱ヒータ５ａ、５ｂが組み込まれ、グリル内部に焼網３が設置されると共に、この焼網３を上下動可能にしたことを特徴とする。【選択図】 図１
2009028460.tif 000002
【特許請求の範囲】
【請求項１】
開閉扉がグリルの天板に設置され、
前記開閉扉のグリル内部に対向する片面に加熱ヒータが組み込まれ、
前記グリル内部に焼網が設置されると共に、前記焼網を上下動可能にしたこと、
を特徴とする卓上グリル。
【請求項２】
グリルを組み込んだ電磁調理器であり、
前記グリルの開閉扉が、前記電磁調理器の天板に設置され、
前記開閉扉のグリル内部に対向する片面に加熱ヒータが組み込まれ、
前記グリル内部に焼網が設置されると共に、前記焼網を上下動可能にしたこと、
を特徴とする電磁調理器。
【発明の詳細な説明】
【技術分野】
【０００１】
本発明は、焼き魚などの焼き物を調理するためのグリルに関するものである。
【背景技術】
【０００２】
従前より、ガス式のコンロにおいても、また、電気式のコンロ（電磁調理器）においても、グリルについては、図９に示すように側面から焼き物の出し入れを行うスライド式のものばかりであった。
【０００３】
しかし、グリルにおいて側面からの出し入れを行う必然性はない。
【発明の開示】
【発明が解決しようとする課題】
【０００４】
そこで、グリルの天板から焼き物の出し入れができるようになれば、皿への盛り付けなども側面からのスライド式に比較して容易であり、また、グリル内部の清掃も容易になる。
【課題を解決するための手段】
【０００５】
本発明は、かかる課題を解決するものであり、グリルの天板部分に開閉部を設置することを特徴とするものである。
【０００６】
つまり、請求項１に係る発明は、グリルについての発明であり、グリル内部への焼き物の出し入れ等に用いる開閉扉が前記グリルの天板に設置され、前記開閉扉のグリル内部に対向する片面に（開閉扉を閉じたときにグリル内部を熱せれるように）加熱用ヒータが組み込まれ又は加熱用ヒータがグリル内部にスライド収納されるように設置され、前記グリル内部には、前記の加熱ヒータ以外の固定された加熱ヒータ、更には、焼網が設置されると共に、前記焼網が前記グリルの外面に設置したハンドル若しくはツマミにより人力で又はモータなどの動力を用いることで、上下動可能にしたことを特徴とする。
【０００７】
また、請求項２に係る発明は、請求項１に係る発明を電磁調理器に組み込まれるグリルに適用したものであり、グリルの開閉扉が前記電磁調理器の天板に設置され、前記開閉扉のグリル内部に対向する片面に加熱用ヒータが組み込まれ又は加熱用ヒータがグリル内部にスライド収納されるように設置され、前記グリル内部には、前記の加熱ヒータ以外の固定された加熱ヒータ、更には、焼網が設置されると共に、前記焼網が前記グリルの外面に設置したハンドル若しくはツマミにより人力で、又は、モータなどの動力を用いることで、上下動可能にしたことを特徴とする。
【発明の効果】
【０００８】
本発明の実施により、グリルの側面からではなく天板からの焼き物の出し入れができるようになると、皿への盛り付けなども容易となり、また、開口部が従来からのスライド式のものよりも広くなることから、グリル内部の清掃も容易になる。
【発明を実施するための最良の形態】
【０００９】
以下、本発明の実施の形態を、図に基づき説明する。
図１は請求項１に記載の発明に対応するものであり、グリル１は、開閉扉２をグリル１の天板部分に設置し、その内部に焼網３及び図には表示されていないがトレー（受け皿）４を内臓している。また、開閉扉２のグリル内面になる部分には、加熱ヒータ５ａ、５ｂが組み込まれている。図１においては、開閉扉２は片開きの扉となっているが、両開きの扉としてもかまわない。この焼網３は、トレー４と共に、又は、トレー４とは切り離され、上下動可能にグリル内部に設置される（焼網３及びトレー４は適宜洗浄できるようにグリル内部から分離できるようになっている）。この上下動は、グリル１の前面の焼網上下可動用ハンドル６にて手動で行うが、モータとカムを組み合わせて電動にても可能である。なお、グリル内部には、側面若しくは底面のどちらか一面又はその両面に、固定された加熱ヒータが設置されている。
【００１０】
図２は、開閉扉２のグリル内部上面の加熱用ヒータ５ａ、５ｂが、グリル内部にスライド収納する場合のものである。スライド用シャフト９ａ、９ｂにより加熱ヒータ５ａ、５ｂは固定され、また、シャフト内部から加熱ヒータ５ａ、５ｂに電気エネルギーを供給する役割も担う。このシャフトは水平にて回転可能な継ぎ手１０ａ、１０ｂと結合され、図３に示すようにカム１１ａ、１１ｂをシャフトと接合させることで、スライド方向１００に力を加えることで加熱ヒータ５ａ、５ｂおよびシャフト９ａ、９ｂがグリル内部にスライド収納される。
【００１１】
このスライド収納は、図４の開閉扉２の回転軸１２を固定設置し、それと対向する方の開閉扉２を方向１０１の方向に持ち上げることにより、つまり、図５及び図６において、開閉扉２を方向１０１に持ち上げることで、それと逆向き方向１０２にシャフト９ａ、９ｂに力が加わるような機構をグリル内部に設ければよい。つまり、開閉扉２とシャフト９ａ、９ｂを連動させ、開閉扉２が開くと、加熱ヒータ５ａ、５ｂがスライドするようにすればよい。
【００１２】
この方向１０１と方向１０２が逆方向となること、更に、方向１０１の移動量と方向１０２の移動量では、方向１０２の方を大きくしなければならないことの条件を満たすためには、例えば、図７に示すような固定滑車１３と動滑車１４を組合せることにより、方向１０２の移動量を方向１０１の移動量の２倍にすることができる。
【００１３】
図８は請求項２に記載の発明に対応するもので、グリル１を電磁調理器（ＩＨ調理器）に内蔵したものであり、グリルの機構については、前述のとおりである。従前は、グリルの上に電磁誘導ユニット（ＩＨ調理ユニット）が重なっており、電磁調理器はかなり厚みがあったが、この発明の場合は、重なりがなくなることから、厚みが薄くなるという特徴を有する。なお、図８において、電磁誘導ユニット８ａ、８ｂは二つであるが、一つの場合でも、三つ以上の場合でも、当然、この発明は適用可能である。
【図面の簡単な説明】
【００１４】
【図１】天板開閉グリルの斜視図
【図２】グリル内部上面加熱ヒータの平面構造
【図３】グリル内部の断面構造
【図４】グリル内部上面加熱ヒータの平面構造（開閉扉を閉じて内部を透視した図）
【図５】グリル内部の断面構造（スライド機構説明図その１）
【図６】グリル内部の断面構造（スライド機構説明図その２）
【図７】固定滑車と動滑車との組合せ図
【図８】天板開閉グリルを組み込んだ電磁調理器の斜視図
【図９】従前からの電磁調理器の斜視図
【符号の説明】
【００１５】
５ｃ  加熱ヒータ
７  電磁調理器
８ｃ  電磁誘導ユニット（ＩＨ調理ユニット）
１５  スライド式グリルの前面部
【図１】
2009028460.tif 000003
【図２】
2009028460.tif 000004
【図３】
2009028460.tif 000005
【図４】
2009028460.tif 000006
【図５】
2009028460.tif 000007
【図６】
2009028460.tif 000008
【図７】
2009028460.tif 000009
【図８】
2009028460.tif 000010
【図９】
2009028460.tif 000011